(57)【要約】      （修正有）【課題】サンプリング分取用として好適で軽量小型な液体クロマトグラフィー用示差屈折率検出装置を提供する。【解決手段】光学系１３と流路系と示差屈折率検出回路系と電源部と恒温部７１とをケーシング１２内に備え、光学系１３は光源１６と受光部３０との間を無反射光軸にして断熱性の隔室３８内に配置し、電源部はスイッチングレギュレータとフィルタ回路とで構成して前記検出回路系にノイズを抑制して給電できるように形成し、恒温部７１を熱容量の大きな恒温性金属材の周面にステンレスチューブを多数回密に巻き付けて形成するとともに、少なくとも電源部と恒温部７１とは隔室３８を除くケーシング１２の空間部１２ａ内に配置した。なお、光学系１３は、光軸調整を可能にして測定セル２６の上部側を非透光領域として基台３９上に緩衝部材を介して配置するのが好ましい。【選択図】図１
0003183266.tif 000002
【実用新案登録請求の範囲】
【請求項１】
発光ダイオードからなる光源と二分割光電変換素子からなる受光部との間に介在させた測定セル内の溶媒と試料液との屈折率の差を検出すべく隔室内に配設される光学系と、前記測定セルに対し溶媒と試料液とを各別に供給・排出する流路系と、前記測定セル内の溶媒と試料液との屈折率の差を電気信号として検出する示差屈折率検出回路系と、該示差屈折率検出回路系に対し電力を供給する電源部とを少なくともケーシング内に備えてなる液体クロマトグラフィー用示差屈折率検出装置において、
断熱性のハウジング部により区画形成される前記隔室内に配置される光学系は、照射光量の均一な送出が可能な前記光源を有する発光本体部を、水平方向への進退を可能に配設された複数本の螺杆材を介してその背後側から上下左右方向への光軸調整を可能に支持部材に支持させて構成される発光部から前記受光部へと至る間を無反射光軸のもとで形成され、
前記隔室を除く前記ケーシングの空間部内には、円柱状を呈して鉛を含まない熱容量の大きな恒温性金属材と、該恒温性金属材の周面に密着させて多数回密に巻き付けて位置固定させたステンレスチューブとからなる恒温部と、直流安定化電源であるスイッチングレギュレータと次段に配設されるフィルタ回路とにより前記示差屈折率検出回路系にノイズを抑制して給電可能な給電部とを配置するとともに、
前記恒温部における前記ステンレスチューブの一端側には、前記流路系にあって前記測定セルにおける試料側セル側に試料液を供給する給液路中の送入側を、他端側には、送出側を各別に連結したことを特徴とする液体クロマトグラフィー用示差屈折率検出装置。
【請求項２】
前記示差屈折率検出回路系は、前記光源の発光輝度を調節する可変定電流回路と、該可変定電流回路を含む電源電圧の変動を受けやすい回路に給電する定電圧回路と、前記二分割光電変換素子にて各別に光電変換された電気信号を増幅するワンチップ化された一対のオペアンプからなる初段電流増幅回路と、該初段電流増幅回路を経て増幅された各電気信号相互間の差を検する減算回路とを少なくとも備え、かつ、これらの回路を前記隔室を除く前記ケーシングの空間部内に配設した請求項１に記載の液体クロマトグラフィー用示差屈折率検出装置。
【請求項３】
前記光学系は、前記測定セルの上部側を非透光領域として難可撓性の基台上にその全体を配置し、該基台の台央裏面側に配設される緩衝部材を介して断熱性に富む前記隔室を区画形成している前記ハウジング部における底板上に設置した請求項１または２に記載の液体クロマトグラフィー用示差屈折率検出装置。
【考案の詳細な説明】
【技術分野】
【０００１】
本考案は、液体クロマトグラフィー用示差屈折率検出装置に係り、さらに詳しくは、サンプリングのための分取用として好適に使用することができ、かつ、装置全体の軽量小型化をも同時に実現することができる液体クロマトグラフィー用示差屈折率検出装置に関する。
【背景技術】
【０００２】
液体クロマトグラフを構成する検出手段については、示差屈折率検出装置などのような溶液物性型の汎用検出手段と、紫外吸収検出装置などのような溶質物性型の特異型検出手段とに大別することができる。
【０００３】
これらのうち、特異型検出手段のひとつである紫外吸収検出装置は、一般に移動相溶媒の温度変化や流量の脈動などの外部要因の変動を受け難いので容易に高感度化できる特長があるものの、物質に紫外線吸収性がない場合や特定波長に依存しない場合などには適用できない難点があった。
【０００４】
一方、汎用検出手段のひとつであるである示差屈折率検出装置は、紫外吸収検出装置を用いることができない上記場合においても利用できる点で優れているものの、分析精度を高感度化するためには溶媒の微小な温度変化や流量（圧力）変化などの外的要因を少なくする必要があった。
【０００５】
ところで、このような特性を有する示差屈折率検出装置中、特に非特許文献１に示すような偏光型の従来タイプの示差屈折率検出装置においては、図５に示すように、フィラメント型ランプにより形成される光源２から出て形成される光路Ｒがスリット３を経てレンズ４で集光された後、測定セル５を通過して反射ミラー６へと至り、その反射光が再度測定セル５を通過し、二分割された受光素子からなる受光部７へと到達し、この受光部７により電気信号に変換され、所定の処理を行なうことで屈折率を検出することができるようにした光学系１を配置することで形成されている。
【先行技術文献】
【非特許文献】
【０００６】
【非特許文献１】「高速液体クロマトグラフ分析（昭和６０年５月３０日改訂版第２刷：６６頁）」産業図書株式会社発行
【０００７】
上記液体クロマトグラフィー用示差屈折率検出装置の場合には、検出される屈折率に温度依存性があることから、光学系１の全体を温度調節して恒温状態を保持させておかなければならず、したがって、熱容量の大きなアルミブロック８内に収容し、しかも、このアルミブロック８を１０〜２０ｍｍ程度の厚さのスポンジ材９で覆うにことにより、外部周辺温度の影響を受けないように配慮しておく必要があった。
【考案の概要】
【考案が解決しようとする課題】
【０００８】
ところで、従来からある上記示差屈折率検出装置によっても精度よく屈折率を検出することはできる。
【０００９】
しかし、従来装置の光源２は、フィラメント型ランプであることから発熱量が多く、装置を構成している各種金属部材が熱膨張と冷却収縮とを繰り返し、このことが温度依存性のある屈折率にドリフトを発生させる大きな原因となっていた。
【００１０】
また、光学系１が収容されるアルミブロック８内の温度変化は、光源２から受光部７へと至る光路Ｒのずれの変化率を大きくすることから、アルミブロック８自体の熱容量を大きくすることでドリフトの発生を抑制する策を講じていたほか、１０〜２０ｍｍ程度の厚さのスポンジ材９で覆う必要もあったため、結果的にその全体が大型化してしまう不都合があった。
【００１１】
一方、ドリフトの発生を防止するためには、光学系１が収容されるアルミブロック８内を温度調節する必要があり、そのためには重量のあるトランスなどを備えた電源部が必要になり、この電源部が発熱の原因となる問題もあった。
【００１２】
しかも、このような電源部の発熱防止を講じるためには、そのための各種の関連機器も必要になり、結果的に装置全体の重量化と大型化とを招き、製品コストを上昇させてしまう不都合があった。
【００１３】
さらに、従来タイプの示差屈折率検出装置にあっては、ミラー６を用いた光軸反射タイプの光学系１を採用することで、光路Ｒの長さを長くして測定感度を引き上げており、それだけ温度依存性が高くなる問題もあった。
【課題を解決するための手段】
【００１４】
本考案は、従来装置にみられた上記課題に鑑みてなされたものであり、その構成上の特徴は、発光ダイオードからなる光源と二分割光電変換素子からなる受光部との間に介在させた測定セル内の溶媒と試料液との屈折率の差を検出すべく隔室内に配設される光学系と、前記測定セルに対し溶媒と試料液とを各別に供給・排出する流路系と、前記測定セル内の溶媒と試料液との屈折率の差を電気信号として検出する示差屈折率検出回路系と、該示差屈折率検出回路系に対し電力を供給する電源部とを少なくともケーシング内に備えてなる液体クロマトグラフィー用示差屈折率検出装置において、断熱性のハウジング部により区画形成される前記隔室内に配置される光学系は、照射光量の均一な送出が可能な前記光源を有する発光本体部を、水平方向への進退を可能に配設された複数本の螺杆材を介してその背後側から上下左右方向への光軸調整を可能に支持部材に支持させて構成される発光部から前記受光部へと至る間を無反射光軸のもとで形成され、前記隔室を除く前記ケーシングの空間部内には、円柱状を呈して鉛を含まない熱容量の大きな恒温性金属材と、該恒温性金属材の周面に密着させて多数回密に巻き付けて位置固定させたステンレスチューブとからなる恒温部と、直流安定化電源であるスイッチングレギュレータと次段に配設されるフィルタ回路とにより前記示差屈折率検出回路系にノイズを抑制して給電可能な給電部とを配置するとともに、前記恒温部における前記ステンレスチューブの一端側には、前記流路系にあって前記測定セルにおける試料側セル側に試料液を供給する給液路中の送入側を、他端側には、送出側を各別に連結したことを最も主要な特徴とする。
【００１５】
この場合、前記示差屈折率検出回路系は、前記光源の発光輝度を調節する可変定電流回路と、該可変定電流回路を含む電源電圧の変動を受けやすい回路に給電する定電圧回路と、前記二分割光電変換素子にて各別に光電変換された電気信号を増幅するワンチップ化された一対のオペアンプからなる初段電流増幅回路と、該初段電流増幅回路を経て増幅された各電気信号相互間の差を検する減算回路とを少なくとも備え、かつ、これらの回路を前記隔室を除く前記ケーシングの空間部内に配設するのが好ましい。
【００１６】
また、前記光学系は、前記測定セルの上部側を非透光領域として難可撓性の基台上にその全体を配置し、該基台の台央裏面側に配設される緩衝部材を介して断熱性に富む前記隔室を区画形成している前記ハウジング部における底板上に設置するのが望ましい。
【考案の効果】
【００１７】
請求項１の考案によれば、光学系を光源の側からの上下左右方向への光軸調整を可能とした無反射光軸のもとで全体の光路長を短くして形成することができるので、ヌルグラスが不要になるばかりでなく、温度依存性を低下させることもでき、しかも、隔室を除くケーシングの空間部内に配設される電源部が、比較的大きな容積を占め、かつ、発熱源ともなっていた電源トランスに代えてスイッチングレギュレータとフィルタ回路とで構成されているので、光学系が配置される隔室内を温度調節する必要をなくしてコンパクト化することで、ケーシングを含む装置本体のより一層の軽量小型化を実現すると同時に、光軸調整を容易化し、かつ、そのコストダウンを図ることができる。
【００１８】
しかも、隔室を除くケーシングの空間部内には、鉛を含まない恒温性金属材にステンレスチューブを巻着してなる恒温部が、ステンレスチューブの一端側には測定セルにおける試料側セルに試料液を供給する給液路中の送入側を、他端側には送出側を各別に連結して配置されているので、鉛公害のおそれをなくした簡単な部材構成のもとで試料側セルに常に温度を一定に保持させた試料液を供給することができる。
【００１９】
また、請求項２の考案によれば、可変定電流回路により光源の発光輝度を安定的に制御することができるほか、定電圧回路により電源電圧の変動を受けにくくすることができ、さらには、初段電流増幅回路を同一の温度条件のもとにおかれる一対のオペアンプにより形成することで出力特性を一致させてあるので、各オペアンプから出力される電気信号相互間の差を次段の減算回路にて正しく検出することができるなど、全体の消費電力を少なくすることで示差屈折率検出回路系からの出力を安定化させることができる。
【００２０】
しかも、示差屈折率検出回路系と電源部とは、隔室を除くケーシングの空間部内にコンパクト化して配設されているので、隔室内の温度変化を少なくして光学系に発生する温度ドリフトを少なくすることができる。
【００２１】
請求項３の考案によれば、光学系は、測定セルの上部側が非透光領域となっており、かつ、その全体が難可撓性の基台上に配設されており、しかも、該基台は、台央裏面側に配設された緩衝部材を介して断熱性に富む前記隔室を画成している底板部上に設置されることになるので、測定セル内に流入する気泡が生起させるベースラインの乱れをなくすことができ、さらには、光学系に影響を及ぼす機械的なヒズミの発生を抑制することもできる。
【図面の簡単な説明】
【００２２】
【図１】本考案の一実施例についての概略構成を示す説明図（平面図）。
【図２】本考案における光学系の概略構成を示す説明図（側面図）。
【図３】本考案における恒温部の構成例を示す説明図であり、そのうちの（ａ）は図１に対応させた平面図を、（ｂ）はその正面図を、（ｃ）は締め付けバンドで固定した状態での（ａ）に対応させた平面図を、それぞれ示す。
【図４】本考案における電源部と示差屈折率検出回路系との回路の一例を示す説明図。
【図５】従来装置における光学系の構成例を示す説明図。
【考案を実施するための形態】
【００２３】
図１は、本考案の要部構成例（部分的な断面構造を含む）を示す平面図であり、測定セル２６内の溶媒と試料液との屈折率の差を検出すべく断熱性の隔室３８内に配設される光学系１３と、測定セル２６に対し溶媒と試料液とを各別に供給・排出する流路系４１と、測定セル２６内の溶媒と試料液との屈折率の差を電気信号として検出する示差屈折率検出回路系５６と、該示差屈折率検出回路系５６に対し電力を供給する電源部５１と、恒温性金属材７２の周面７２ａにステンレスチューブ７３を密に多数回に巻き付けて位置固定させてなる恒温部７１とをケーシング１２内に配設することでその全体が構成されている。
【００２４】
これらのうち、光学系１３は、照射光量を均一化して送出可能とした発光部１４と、該発光部１３からの照射光Ｒ１を散乱光を除去した平行光束として測定セル２６を透過させ、この透過光Ｒ２を集光して送出可能としたレファレンス部２２と、該レファレンス部２２を経た入射光Ｒ３の光量比較を可能に設けられた受光部３０とを難可撓性の金属板からなる基台３９上に配置してなる光軸無反射構造のもとで形成されている。
【００２５】
この場合、光学系１３が配置される基台３９は、図２に示すように基台３９の台央裏面側に配設される例えばゴム材やスポンジ材などで形成された緩衝部材４０を介することで、ケーシング１２内において隔室３８を区画形成しているハウジング部３４の底板部３４ａ上に設置されている。
【００２６】
また、発光部１３は、後述する可変定電流回路５８により設定される安定した発光輝度のもとで点光源と同等な発光面から発光させることができる発光ダイオード（ＬＥＤ）により形成される光源１６と、スリット１８を有して照射光量を均一化して送出するための第１スリット部１７とを備える発光本体部１５と、該発光本体部１５を背後側から支持する支持部材１９とで形成されている。
【００２７】
しかも、支持部材１９は、基台３９上に固定された支持本体部２０と、発光本体部１５を背後方向から支持するために支持本体部２０に対し水平方向への進退を可能にして配設されている複数本の螺杆材２１とで形成されている。
【００２８】
この場合における支持部材１９による発光本体部１５の支持構造は、支持本体部２０の側に計４本の螺杆材２１を例えば図１に示すように支持本体部２０の左右中央部に各１本の押圧用螺杆材２１ａを、また、図２に示すように支持本体部２０の上下中央部に各１本の支持用螺杆材２１ｂをそれぞれ配設し、各支持用螺杆材２１ｂは発光本体部１５の側に螺合させ、各押圧用螺杆材２１ａは発光本体部１５の背面に当接させ、発光本体部１５の上下方向への角度調整はいずれかの支持用螺杆材２１ｂを進退させることにより、左右方向への角度調整はいずれかの押圧用螺杆材２１ａを進退させることで光源１４からの照射光Ｒ１の光軸調整を可能にして形成されている。
【００２９】
また、レファレンス部２２は、発光部１４の側からの照射光Ｒ１のうちから不必要な散乱光を除去してこれを導入するためのスリット２４を有する第２スリット部２３と、該第２スリット部２３を経た照射光Ｒ１を平行光束とするための第１コリメーターレンズ２５と、流路系４１に接続されている測定セル２６と、該測定セル２６を透過した平行光束としての透過光Ｒ２を集光するための第２コリメーターレンズ２９とを備えて形成されている。なお、測定セル２６の上部側は、例えば第２スリット部２３におけるスリット２４の位置や幅を調節したり、測定セル２６の上部側自体に図示しない遮光部を予め形成しておくなどして照射光Ｒ１の透過を許さない非透光領域としておくのが望ましい。
【００３０】
さらに、受光部３０は、第２コリメータレンズ２９を経て直進してきた入射光Ｒ３を受光するための第１光電変換部３２と第２光電変換部３３とを備えてなる二分割光電変換素子３１を用いて形成されている。
【００３１】
また、光学系１３が収容される断熱性の隔室３８は、金属薄板材により形成されたハウジング本体部３５と、該ハウジング本体部３５の表面を覆う肉厚が１ｍｍ前後のスポンジ材などからなる断熱部材３６と、該断熱部材３６に被着されているアルミ箔材３７とで形成されるハウジング部３４により区画形成されるものであり、該ハウジング部３４により隔室３８内は外部と熱的に隔絶された暗室状態が維持されることになる。
【００３２】
一方、流路系４１は、４５°のセル角度で仕切られた試料側セル２７と対照側セル２８とを有してなる測定セル２６における対照側セル２８に溶媒を供給するための給液路４２と、これを排出するための排液路４３のほか、試料側セル２７に試料液を供給するための給液路４４と、これを排出するための排液路４５とを有して形成されている。なお、流路系４１を構成している対照側セル２８の給排液路４２，４３と、試料側セル２７の給排液路４４，４５とは、耐酸性や耐アルカリ性に富むフッ素樹脂からなるチューブ材を用いて形成されている。
【００３３】
さらに、ハウジング部３４を除くケーシング１２の空間部１２ａ内には、円柱状を呈して鉛を含まない熱容量の大きな金属素材、例えばアルミニウム素材や銅素材や真鍮素材などからなる恒温性金属材７２と、該恒温性金属材７２の周面７２ａに密に多数回巻き付けて位置固定させたステンレスチューブ７３とからなる恒温部７１が図３に示すようにして配置されている。
【００３４】
この場合、恒温性金属材７２は、直径が４０ｍｍ前後で、その長さも４０ｍｍ前後の図３（ａ）に示されているような円柱形を呈する金属素材を用いて形成されている。また、ステンレスチューブ７３は、外径が１．６ｍｍ〜２．０ｍｍ程度で、内径が０．５ｍｍ〜０．８ｍｍ程度のものが用いられ、これを恒温性金属材７２の全端部と後端部とを除く周面７２ａに例えば１０〜１７回くらい隣り合う相互を密着させた状態のもとで巻き付けることで、図３（ａ），（ｂ）に示されているようにして配置されている。
【００３５】
しかも、ステンレスチューブ７３の一端７３ａ側には、流路系４１にあって測定セル２６における試料側セル２７側に試料液を供給する給液路４４中の送入側４４ａがタップ７４を介して、他端７３ｂ側には、送出側４４ｂがタップ７５を介して各別に連結されている。このため、熱容量の大きな恒温性金属材７２に巻き付けられたステンレスチューブ材７３内を通過させた後に給液路４４側に試料液を供給することで、液温の経時的な変化を少なくして、測定感度をより高くし、測定精度を安定化させることができることになる。なお、タップ７４，７５は、その基部７４ａ，７５ａが恒温性金属材７２側に埋設された状態のもとで位置固定されることになる。
【００３６】
また、恒温性金属材７２の周面７２ａに巻き付けた後のステンレスチューブ７３は、図３（ｃ）に示すような締付け具７６を用いて位置固定される。このとき、締付け具７６は、巻き付けた後のステンレスチューブ７３の前端部側と後端部側とを各別に位置固定できるように例えば図３（ｃ）に示すように２箇所にて位置固定できるようにするなどして配置されることになる。
【００３７】
この場合に用いられる締付け具７６としては、例えば一端側にスリット状のねじ溝が一定のピッチで形成され、該一端側を上側にして両端側が重なり合うように円環状に巻かれた帯状の締付けバンド部７７と、締付けバンド部７７の他端側に固定させた状態のもとでねじ溝に螺合配置された雄ねじ材７８とを備え、該雄ねじ材７８を回転させることで締付けバンド部７７を拡縮できるようにしたものを用いることができる。また、締付け具７６としては、図示は省略してあるが、両開放端側に一対の起立片部を有して縮径可能な帯状に形成されたバンドを拡径して恒温性金属材７２に巻き付けられたステンレスチューブ７３を包むように配置した上で、各起立片部に設けられている螺孔に締付けねじを螺合してこれを緊締することで位置固定させることができるようにした周知のものを用いることもできる。
【００３８】
一方、図４は、測定セル２６内の溶媒と試料液との屈折率の差を電気信号として検出する示差屈折率検出回路系５６と、該示差屈折率検出回路系５６に対し電力を供給する電源部５１との回路構成の一例を示すものである。
【００３９】
このうち、隔室３８を除くケーシング１２の空間部１２ａ内に配置される電源部５１は、接続端子５３，５４を介して印加されるＡＣ１００〜２４０Ｖの交流電源電圧を安定化させた直流電源電圧に変換するスイッチングレギュレータ５２と、該スイッチングレギュレータ５２からの整流出力に入るリップルやスパイク成分などのノイズを消去して示差屈折率検出回路系５６の側に給電することを目的に一次ローパスフィルタにより形成されるフィルタ回路５５とで構成されている。
【００４０】
また、同様に隔室３８を除くケーシング１２の空間部１２ａ内に配置するのが好ましい示差屈折率検出回路系５６は、光源１６の発光輝度を調節する可変定電流回路５８と、該可変定電流回路５８を含む電源電圧の変動を受けやすい回路に給電する定電圧回路５７と、二分割光電変換素子３１にて各別に光電変換された電気信号を増幅するワンチップ化された一対のオペアンプからなる初段電流増幅回路５９と、該初段電流増幅回路５９を経て増幅された各電気信号相互間の差を検出する減算回路６０とを少なくとも備え、出力端子６５，６６を介してレコーダの側に出力できるようになっている。この場合、初段電流増幅回路５９を構成している各オペアンプは、入力インピーダンスの高いＦＥＴ（電界効果トランジスタ）を用いるのが望ましい。
【００４１】
なお、上記示差屈折率検出回路系５６は、上記回路構成に加え、図４に示すようにクロマトグラムのベースラインの設定変更を行う加算回路６１と、該加算回路６１の次段にて電気信号からノイズを消去するローパスフィルタ６２と、該ローパスフィルタ６２によりノイズが消去された電気信号をレコーダ出力との関係で感度調整を行うアッティネータ６３と、アッティネータ６３にて感度調整された電気信号を増幅する例えばバイポーラタイプのオペアンプなどからなるバッファ回路６４とを備えるものであってもよい。
【００４２】
次に、このようにして構成されている本考案につき、その作用・効果を説明すれば、光学系１３を無反射光軸のもとで全体の光路長を短くして形成することができるので、温度依存性を低下させることができ、しかも、電源部５１を比較的大きな容積を占め、かつ、発熱源ともなっていた電源トランスに代えスイッチングレギュレータ５２とフィルタ回路５５とで構成してあるので、光学系１３が配置される隔室３８内を温度調節する必要をなくしてコンパクト化することで、ケーシング１２を含む装置本体１１のより一層の軽量小型化を実現することができる。
【００４３】
また、光学系１３を構成している発光部１３は、発光ダイオード（ＬＥＤ）により形成される光源１６からの照射光Ｒ１を第１スリット部１７にて照射光量を均一化して送出する発光本体部１５と、該発光本体部１５を背後側から支持する支持部材１９とで形成されているので、該支持部材１９を構成してる押圧用螺杆材２１ａと支持用螺杆材２１ｂとを操作することで、光源１４からの照射光Ｒ１の上下左右方向への光軸調整を行うことができ、したがって、従来は必要であったヌルグラスを不要にして装置本体１１を小型化する上での一助とすることができる。
【００４４】
しかも、電源部５１は、光学系１３が収容されている隔室３８を除くケーシング１２の空間部１２ａ内に配設され、かつ、電力の損失を少なくして発熱を抑制しているので、隔室３８内の光学系１３において温度依存性のある屈折率にドリフトを発生させる要因を少なくするなかで、装置本体１１の小型化を実現することができる。
【００４５】
また、示差屈折率検出回路系５６が光源１６の発光輝度を調節する可変定電流回路５８と、該可変定電流回路５８を含む電源電圧の変動を受けやすい回路に給電する定電圧回路５７と、二分割光電変換素子３１にて各別に光電変換された電気信号を増幅するワンチップ化された一対のオペアンプからなる初段電流増幅回路５９と、該初段電流増幅回路５９を経て増幅された各電気信号相互間の差を検する減算回路６０とを備え、かつ、これらの回路が隔室３８を除くケーシング１２の空間部１２ａ内に配設されている場合には、示差屈折率検出回路系５６を構成している可変定電流回路５８により光源１６の発光輝度を安定的に制御して、測定精度を高めることができるほか、定電圧回路５７により電源部５１から得られる電源電圧の変動を受けにくくすることができる。
【００４６】
しかも、初段電流増幅回路５９では、数ｐＡ程度の電流変化を検出しなければならないため、従来は高性能な高インピーダンス入力の低ノイズ型のオペアンプを使用し、温度ドリフトを防ぐ目的で恒温槽ブロック内に収容しておく必要があったが、本考案における初段電流増幅回路５９は、同一の温度条件のもとにおかれる一対のオペアンプにより形成されており、温度変動が仮にあってもそれぞれの出力特性を一致させて等しい出力変化を引き出すことができる。
【００４７】
このため、従来のような恒温槽ブロックを不要にするなかで、初段電流増幅回路５９を構成している各オペアンプから出力される電気信号相互間の差は、次段の減算回路６０にて正しく検出することができることになり、併せて、それだけ装置本体１１を小型化し、かつ、消費電力を少なくして示差屈折率検出回路系５６からの出力を安定化させることができる。
【００４８】
しかも、示差屈折率検出回路系５６と電源部５１とは、隔室３８を除くケーシング１２の空間部１２ａ内にコンパクト化して配設することができるので、隔室３８内の温度変化を少なくして光学系１３に発生する温度ドリフトを少なくすることができる。
【００４９】
一方、測定セル２６の上部側を非透光領域として難可撓性の基台３９上に光学系１３の全体が配置され、かつ、基台３９がその台央裏面側に配設される緩衝部材４０を介して断熱性に富む隔室３８を区画形成しているハウジング部３４の底板３４ａ上に設置されている場合には、例えば第２スリット部２３におけるスリット２４の位置や幅を調節したり、測定セル２６自体の上部側に適宜の手段により遮光部を予め形成するなどして照射光Ｒ１の透過を許さない非透光領域とすることができるので、測定セル２６内に流入して滞留する上昇気泡により生起されるクロマトグラムのベースラインの乱れをなくすことができる。
【００５０】
しかも、光学系１３が配置されている基台３９は、台央裏面側に配設された緩衝部材４０を介し、かつ、断熱部材３６とアルミ箔３７とを備えて断熱性に富む隔室３８を区画形成しているハウジング部３４の底板部３４ａ上に設置されているので、光学系１３に影響を及ぼす機械的もしくは熱的なヒズミを緩衝部材４０にて吸収させ、その発生を抑制して測定精度向上に寄与させることができる。
【００５１】
なお、測定セル２６としてセル角度が４５°に仕切られたものを用いる場合には、混合溶媒によるドリフトの発生を非常に少なくして分取用に好適に用いることができる。
【符号の説明】
【００５２】
１１  装置本体
１２  ケーシング
１２ａ  空間部
１３  光学系
１４  発光部
１５  発光本体部
１６  光源
１７  第１スリット部
１８  スリット
１９  支持部材
２０  支持用本体部
２１  螺杆材
２１ａ  押圧用螺杆材
２１ｂ  支持用螺杆材
２２  レファレンス部
２３  第２スリット部
２４  スリット
２５  第１コリメーターレンズ
２６  測定セル
２７  試料側セル
２８  対照側セル
２９  第２コリメーターレンズ
３０  受光部
３１  二分割光電変換素子
３２  第１光電変換部
３３  第２光電変換部
３４  ハウジング部
３４ａ  底板部
３５  ハウジング本体部
３６  断熱性部材
３７  アルミ箔材
３８  隔室
３９  基台
４０  緩衝部材
４１  流路系
４２  給液路
４３  排液路
４４  給液路
４４ａ  送入側
４４ｂ  送出側
４５  排液路
５１  電源部
５２  スイッチングレギュレータ
５３，５４  端子
５５  フィルタ回路
５６  示差屈折率検出回路系
５７  定電圧回路
５８  可変定電流回路
５９  初段電流増幅回路
６０  減算回路
６１  加算回路
６２  ローパスフィルタ
６３  アッティネータ
６４  バッファ回路
６５，６６  出力端子
７１  恒温部
７２  恒温性金属材
７２ａ  周面
７３  ステンレスチューブ
７３ａ  一端
７３ｂ  他端
７４，７５  タップ
７４ａ，７５ａ  基部
７６  締付け具
７７  締め付けバンド
７８  雄ねじ部材
Ｒ１   照射光
Ｒ２    透過光
Ｒ３   入射光
【図１】
0003183266.tif 000003
【図２】
0003183266.tif 000004
【図３】
0003183266.tif 000005
【図４】
0003183266.tif 000006
【図５】
0003183266.tif 000007